(57)【要約】 【課題】  ユーザが定期的に訪れていた、あるいは訪れなければならない場所や施設がある場合、訪れなければならない時期にきたことを自動的に知らせることができるようにする。【解決手段】  特定の施設又は場所対応する位置に所定時間以上滞在した場合、そのときの日付及び位置を履歴情報記憶装置６に記憶させる。そして履歴分析装置１０にて、この記憶された同一の位置と日付とにより、今までこの位置をどのくらいの周期で訪れていたかを算出するとともにこの算出された周期に基づいて、次回訪れると予想される次回日付を予想する。この予想された次回日付が到来すると、メッセージを表示部５に表示する。または履歴分析装置１０にて記憶された位置にある施設に関連する特定日付を取得し、この特定日付が到来するとメッセージを表示部５に表示する。【選択図】  図１
2010026887.tif 000002
【特許請求の範囲】
【請求項１】
位置情報を取得する位置情報取得手段と、
日付情報を取得する日付情報取得手段と、
この取得された位置情報に対応する位置に所定時間以上滞在したか否か判別する判別手段と、
この判別手段により所定時間以上滞在したと判別される毎に、前記位置情報取得手段により取得された位置情報及び前記日付情報取得手段により取得された日付情報を記憶する記憶手段と、
この記憶手段に同一の位置情報が複数記憶されている場合に、当該同一の位置情報に対応して記憶された日付情報夫々に基づいて、前記同一の位置情報取得の繰返し周期を算出する周期算出手段と、
この算出された周期に基づいて、次回前記位置情報が取得されると予想される次回日付を算出する日付算出手段と、
この算出された次回日付が到来したときに、前記位置情報に基づいたメッセージを表示手段に表示するメッセージ表示手段と、
を有する情報表示装置。
【請求項２】
前記判別手段は、前記情報表示装置に加わる加速度センサを有し、前記位置情報取得手段により位置情報が取得された後、前記所定時間以上前記加速度センサにより加速度を検出していない場合に、前記取得された位置情報に対応する位置に所定時間以上滞在したと判別する請求項１記載の情報表示装置。
【請求項３】
前記メッセージ表示手段は、前記記憶手段に記憶された複数の同一の位置情報に対応する日付情報のうち、最も新しい日付情報に対応する日付と前記次回日付とに基づいて経過期間を算出するとともに、前記表示手段に当該経過期間を含むメッセージを表示させる請求項１記載の情報表示装置。
【請求項４】
位置情報を取得する位置情報取得手段と、
日付情報を取得する日付情報取得手段と、
この取得された位置情報に対応する位置に所定時間以上滞在したか否か判別する判別手段と、
この判別手段により所定時間以上滞在したと判別される毎に、前記位置情報取得手段により取得された位置情報及び前記日付情報取得手段により取得された日付情報を記憶する記憶手段と、
この記憶手段に記憶された位置情報が特定の施設のある位置か否か判別する特定位置判別手段と、
この特定位置判別手段により特定の施設のある位置であると判別された場合に、当該特定の位置に関連する日付情報を取得する関連日付情報取得手段と、
この関連する日付が到来する毎に、前記特定の施設に対応したメッセージを表示手段に表示させるメッセージ表示手段と、
を有する情報表示装置。
【請求項５】
位置情報を取得する位置情報取得手段を有する情報表示装置に適用されるコンピュータに、
この取得された位置情報に対応する位置に所定時間以上滞在したか否か判別する判別ステップと、
所定時間以上滞在したと判別される毎に、日付情報を取得する日付情報取得ステップと、
この取得された日付情報及び前記取得された位置情報を記憶手段に記憶させる記憶ステップと、
この記憶手段に同一の位置情報が複数記憶されている場合に、当該同一の位置情報に対応して記憶された日付情報夫々に基づいて、前記同一の位置情報取得の繰返し周期を算出する周期算出ステップと、
この算出された周期に基づいて、次回前記位置情報が取得されると予想される次回日付を算出する日付算出ステップと、
この算出された次回日付が到来したときに、前記位置情報に基づいたメッセージを表示手段に表示するメッセージ表示ステップと、
を実行させる情報表示処理のプログラム。
【請求項６】
位置情報を取得する位置情報取得手段を有する情報表示装置に適用されるコンピュータに、
この取得された位置情報に対応する位置に所定時間以上滞在したか否か判別する判別ステップと、
所定時間以上滞在したと判別される毎に、日付情報を取得する日付情報取得ステップと、
この取得された日付情報及び前記取得された位置情報を記憶手段に記憶させる記憶ステップと、
この記憶手段に記憶された位置情報が特定の施設のある位置か否か判別する特定位置判別ステップと、
特定の施設のある位置であると判別された場合に、当該特定の位置に関連する日付情報を取得する関連日付情報取得ステップと、
この関連する日付が到来する毎に、前記特定の施設に対応したメッセージを表示手段に表示させるメッセージ表示ステップと、
を実行させる情報表示処理のプログラム。
【発明の詳細な説明】
【技術分野】
【０００１】
本発明は、情報表示装置及び情報表示処理のプログラムに関する。
【背景技術】
【０００２】
従来から、ユーザに種々の情報を提供する情報表示装置にＧＰＳ機能を付加することが提案されて実用化されている。
こうしたＧＰＳ機能を、自己の位置情報を単に取得して表示させるだけでなく、ユーザの行動をよりアシストするために利用する提案がなされている。
【０００３】
例えば、ＧＰＳ機能により取得された位置情報を行動履歴として保存し、この保存された位置情報をもとにユーザがよく訪れるエリアを検知し、このエリア情報をもとにして、ユーザに対して情報提供を行なう（特許文献１）。
このような構成によれば、ユーザはよく訪れるエリアに関連する情報が自動的に入手でき、より行動がしやすくなる利点がある
【０００４】
【特許文献１】特開２００３−４４５１２公報
【発明の開示】
【発明が解決しようとする課題】
【０００５】
だが、通常よく訪れるエリアの情報についてユーザは熟知している場合が多く、この場合はさほどユーザの行動のアシストにはならない。
また、よく訪れるエリアといっても、エリア内にあるひとつの施設、例えばデパートなどの店舗、病院、あるいは自分の実家等にのみ訪れている場合が多い。しかもこれらの施設は、１ヶ月あるいは１週間等の周期で繰り返し定期的に訪れるものが多く、なかには定期的に訪れなければならないものもある。
【０００６】
しかしながら、忙しい現在社会において、定期的に訪れたほうがよい、あるいは訪れなければならないとわかっていても、ついつい忘れて足が遠のいてしまったりする場合がある。
【０００７】
また、例えば墓所は、命日、彼岸、お盆など１年の特定の月日に訪れなければならないが、これらの行事も現代社会においては、日常の忙しさに埋没して忘れている場合もある。
【０００８】
本発明の目的は、ユーザが定期的に訪れていた、あるいは訪れなければならない場所や施設がある場合、訪れなければならない時期にきたことを自動的に知らせることができるようにすることを目的とする。
【課題を解決するための手段】
【０００９】
本発明に係る情報表示装置は、上記目的を達成するために、位置情報を取得する位置情報取得手段と、日付情報を取得する日付情報取得手段と、この取得された位置情報に対応する位置に所定時間以上滞在したか否か判別する判別手段と、この判別手段により所定時間以上滞在したと判別される毎に、前記位置情報取得手段により取得された位置情報及び前記日付情報取得手段により取得された日付情報を記憶する記憶手段と、この記憶手段に同一の位置情報が複数記憶されている場合に、当該同一の位置情報に対応して記憶された日付情報夫々に基づいて、前記同一の位置情報取得の繰返し周期を算出する周期算出手段と、この算出された周期に基づいて、次回前記位置情報が取得されると予想される次回日付を算出する日付算出手段と、この算出された次回日付が到来したときに、前記位置情報に基づいたメッセージを表示手段に表示するメッセージ表示手段と、を有することを特徴とする。
【００１０】
また、前記判別手段は、前記情報表示装置に加わる加速度センサを有し、前記位置情報取得手段により位置情報が取得された後、前記所定時間以上前記加速度センサにより加速度を検出していない場合に、前記取得された位置情報に対応する位置に所定時間以上滞在したと判別することが望ましい。
【００１１】
また、前記メッセージ表示手段は、前記記憶手段に記憶された複数の同一の位置情報に対応する日付情報のうち、最も新しい日付情報に対応する日付と前記次回日付とに基づいて経過期間を算出するとともに、前記表示手段に当該経過期間を含むメッセージを表示させることが望ましい。
【００１２】
また、本発明に係る情報表示装置は、位置情報を取得する位置情報取得手段と、日付情報を取得する日付情報取得手段と、この取得された位置情報に対応する位置に所定時間以上滞在したか否か判別する判別手段と、この判別手段により所定時間以上滞在したと判別される毎に、前記位置情報取得手段により取得された位置情報及び前記日付情報取得手段により取得された日付情報を記憶する記憶手段と、この記憶手段に記憶された位置情報が特定の施設のある位置か否か判別する特定位置判別手段と、この特定位置判別手段により特定の施設のある位置であると判別された場合に、当該特定の位置に関連する日付情報を取得する関連日付情報取得手段と、この関連する日付が到来する毎に、前記特定の施設に対応したメッセージを表示手段に表示させるメッセージ表示手段と、を有することを特徴とする。
【００１３】
また、本発明に係る情報表示処理のプログラムは、位置情報を取得する位置情報取得手段を有する情報表示装置に適用されるコンピュータに、この取得された位置情報に対応する位置に所定時間以上滞在したか否か判別する判別ステップと、所定時間以上滞在したと判別される毎に、日付情報を取得する日付情報取得ステップと、この取得された日付情報及び前記取得された位置情報を記憶手段に記憶させる記憶ステップと、この記憶手段に同一の位置情報が複数記憶されている場合に、当該同一の位置情報に対応して記憶された日付情報夫々に基づいて、前記同一の位置情報取得の繰返し周期を算出する周期算出ステップと、この算出された周期に基づいて、次回前記位置情報が取得されると予想される次回日付を算出する日付算出ステップと、この算出された次回日付が到来したときに、前記位置情報に基づいたメッセージを表示手段に表示するメッセージ表示ステップと、を実行させることを特徴とする。
【００１４】
さらに、本発明に係る情報表示処理のプログラムは、位置情報を取得する位置情報取得手段を有する情報表示装置に適用されるコンピュータに、この取得された位置情報に対応する位置に所定時間以上滞在したか否か判別する判別ステップと、所定時間以上滞在したと判別される毎に、日付情報を取得する日付情報取得ステップと、この取得された日付情報及び前記取得された位置情報を記憶手段に記憶させる記憶ステップと、この記憶手段に記憶された位置情報が特定の施設のある位置か否か判別する特定位置判別ステップと、特定の施設のある位置であると判別された場合に、当該特定の位置に関連する日付情報を取得する関連日付情報取得ステップと、この関連する日付が到来する毎に、前記特定の施設に対応したメッセージを表示手段に表示させるメッセージ表示ステップと、を実行させることを特徴とする。
【発明の効果】
【００１５】
本発明によれば、ユーザが定期的に訪れていた、あるいは訪れなければならない場所や施設がある場合、訪れなければならない時期が到来すると、メッセージを表示する。このため、ユーザが日常生活の忙しさから、つい訪れることを忘れていたとしても、その時期が到来したことを知ることができるようになり、ユーザの行動の大きなアシストとなる。
【発明を実施するための最良の形態】
【００１６】
以下、本発明の実施形態について、図面を参照しながら詳細に説明する。
図１は本発明の一実施形態に係る情報表示装置のブロック図である。
制御装置１は、この情報表示装置全体の動作を制御するものであり、ＧＰＳ衛星受信アンテナ２及びＧＰＳ衛星受信装置３は、ＧＰＳ衛星からのＧＰＳ信号を受信して自己の位置情報を取得するものである。また地図データベース４は、取得された位置情報に対応する位置、つまり場所あるいはその位置にある施設を地図上に示すための地図データが記憶されており、表示部５は、この自己の位置を含む地図を表示するとともに、後述するメッセージを表示するためのものである。
【００１７】
また、制御装置１には、取得された位置情報に対応する位置に所定時間以上留まった場合に、その位置情報及び日付等を履歴情報として順次記憶していく履歴情報記憶装置６が接続されている。そしてこの取得された位置情報に対応する位置に留まった時間をカウントするための停止時間計測装置７、記憶される日付等の情報を出力するカレンダ８が接続されている。
【００１８】
そして、取得された位置情報に対応する位置に留まったことを検知するために、本実施形態においては、情報表示装置本体に加えられる加速度センサ９も接続されている。
さらに、履歴情報記憶装置６に記憶された履歴情報に基づいて分析し、履歴情報に含まれる位置情報に対応する位置（場所あるいは施設）に次回訪れる時期を算出して記憶するものである。
【００１９】
図２は、図１の制御装置１の位置情報取得処理動作を示すフローチャートである。
まず、接続されているＧＰＳ衛星受信装置３に対してＧＰＳ信号の受信を指示し（ステップＳ１）、続いて受信されたＧＰＳ信号に基づき、位置測位測位演算を指示して、位置情報を取得する（ステップＳ２）。そして、地図データベース４から、この取得された位置情報を含む地図データを読み出し（ステップＳ３）、表示部５に表示させる（ステップＳ４）。この場合、位置情報に対応する地図上の位置にはマークを表示してもよいし、地図上の特定の位置にある施設（店舗、病院、学校等）を表わすデータが地図データに予め含まれている場合は、これらの施設を表わすマークや名称を地図上に表示してもよい。
【００２０】
現在の位置が表示された地図が表示された後、この情報表示装置あるいはこれを携帯しているユーザが移動しているか停止しているかを判別する（ステップＳ５）。これは本実施形態においては、加速度センサ９により加速度が検知されているか否かで判別している。
ここで、移動していると判別された場合は、停止時間計測装置８に対して停止時間カウントのクリアを指示し（ステップＳ６）、再びステップＳ１の処理に戻る。一方、停止していると判別された場合は、停止時間計測装置８に対して停止時間のカウントを指示する（ステップＳ７）。そしてこの停止時間のカウント値が一定時間になったかを判別する（ステップＳ８）。
ここで停止時間が一定時間経過していないなら、再びステップＳ１の処理に戻るが、ユーザがこの位置に一定時間以上留まった場合は、履歴保存処理を行なう（ステップＳ９）。そして再びステップＳ１の処理に戻る。
【００２１】
図３は、図２の履歴保存処理の詳細なフローチャートである。
まず、接続されているカレンダ７から現在の月日情報を取得する（ステップＳ１０）。続いて、取得された位置情報に対応する表示された地図上の位置にある施設名（店舗、病院、学校等）を取得する（ステップＳ１１）。この施設名は、前述の如く地図データに予め含まれている場合は、この地図データから抽出する。もし、これらのデータが予め用意されていない場合、あるいはユーザの実家などの個人的データである場合は、入力画面を表示部に表示してユーザが入力するように構成してもよい。
【００２２】
続いて取得された位置情報、現在月日情報及び施設名を履歴情報として履歴情報記憶装置６に記憶させ（ステップＳ１２）、履歴分析装置１０の処理を開始させて（ステップＳ１３）、この処理を終了させる。
制御装置１の位置情報取得処理動作は以上のように行なわれるが、ＧＰＳ受信処理装置３の消費電力低減のために常時起動させず、ステップＳ１及びＳ２の処理が実行される間だけ起動させるように構成してもよい。さらに、ステップＳ６又は７からステップＳ１及びＳ２の処理に戻る間に、一定時間待機させるステップを付加することにより、ＧＰＳ受信処理装置３が停止してから起動するまでの時間を長くしてより消費電力の低減をはかってもよい。
【００２３】
また本実施形態においては、取得された位置情報に対応する位置に留まっているか否かを加速度センサ９により検知する構成としているが、連続して取得される位置情報が同一であるか否かで判別するようにしてもよい。もちろんこの連続して取得された位置情報が所定範囲を超えない範囲で変化している場合にも、同一の場所あるいは施設内にいると判別し、停止しているとみなすようにしてもよい。
【００２４】
図４は、履歴情報記憶装置６に記憶された履歴情報の一例を示す。
図に示すように、所定時間以上とどまった施設名、その位置情報及び月日が記憶されている。
【００２５】
図５は、図１の履歴分析装置１０の処理動作を示すフローチャートである。
図３のステップＳ１３の処理の実行に応答して、処理を開始する。
まず、履歴情報記録装置６に記憶されている履歴情報を検索する（ステップＳ２０）。そこで、今回新しく記憶された履歴情報と同一施設名のデータがあるか否かを判別する（ステップＳ２１）。ここで同一施設名の情報がないと判別された場合は、処理を終了する。
もし同一施設名の履歴情報が存在すると判別された場合は、今回新しく記憶された履歴情報及び同一施設名の履歴情報内の月日情報を取り出し（ステップＳ２２）、この取り出された情報に基づいて周期演算を行なう（ステップＳ２３）。
【００２６】
この周期演算は、各履歴情報の月日情報の差分時間を算出し、この差分時間を周期とする。履歴情報が３個以上存在して、差分時間が複数算出された場合は、その平均時間を算出して、この平均時間を周期とする。もし、算出された複数の差分時間の中で、他と比べて大きく異なる差時間がある場合は、その差時間は除外して平均時間を算出するようにしてもよい。
【００２７】
続いて、今回新しく記憶された（最も新しい）履歴情報に含まれる月日情報を最終月日情報とし（ステップＳ２４）、施設名、最終月日情報及び周期情報を分析情報として、履歴分析装置１０に記憶させる（ステップＳ２５）。
【００２８】
図６は、履歴分析装置１０に記憶された分析情報の一例を示す。
図に示すように、施設名、最後にその施設に滞在した月日及び訪れる間隔を表わす周期がひとつの分析情報として記憶される。
【００２９】
図７は、制御装置１の情報表示処理動作を表わすフローチャートである。
このフローチャートは、本実施形態では、１日の決められた時刻に１回動作開始するように構成されている。
図においてまず、履歴分析装置１０に記憶されている分析情報のひとつを取り出す（ステップＳ３０）。続いてカレンダ７より現在月日を取得する（ステップＳ３１）。そしてこの現在月日から取り出された分析情報に含まれる最終月日を減算して経過月日を算出する（ステップＳ３２）。
次に、この算出された経過月日が、取り出された分析情報に含まれる周期の倍数であるか否か判別する（ステップＳ３３）。
【００３０】
図６に示される分析情報のひとつを例にとると、最終月日が「２００８年２月２５日」、周期が「３０日」であり、ここで現在月日が「２００８年４月１０日」であった場合、経過月日は「４５日」となり、この経過月日は、周期の倍数ではない。この場合は、ステップＳ３４に進み、履歴分析装置１０に記憶された分析情報について上述のような処理が終了したか判別し、処理が終了しているなら、この情報表示処理を終了させる。処理が終了していないなら、ステップＳ３５に進み、履歴分析装置１０から別の分析情報を取り出し、再びステップＳ３１の処理を実行する。
【００３１】
一方、現在月日が「２００８年３月２４日」あるいは「２００８年４月２５日」である場合は、経過月日は、周期の倍数である「３０日」あるいは「６０日」になる。この場合は、ステップＳ３３からステップＳ３６に進み、制御装置１に予め記憶されている、各施設名に対応するメッセージ文を取り出す。例えば施設名が「実家」であれば、「そろそろ実家に帰りませんか？先日の訪問から〇〇が経過していますよ。元気な姿を見せに行きませんか？」というメッセージ文を取り出す。
【００３２】
この後、メッセージ文の「〇〇」の部分に経過月日である「３０日（１ヶ月）」あるいは「６０日（２ヶ月）」を加えて、メッセージ文を完成させ（ステップＳ３７）、表示部５にメッセージを表示させる（ステップＳ３８）。
図８は、経過月日が「３ヶ月（９０日）」の場合のメッセージの表示態様を示す。
【００３３】
このメッセージ文は制御装置１に予め記憶しておかず、ユーザが入力するようにしてもよいし、ＵＲＬを有する特定の施設名であれば、そこから必要な情報を取り出してメッセージ文を作成するようにしてもよい。
例えば、経過月日が「１ヶ月（３０日）」、施設名が「△△デパート」でＵＲＬから「秋物の新作入荷」の情報を取得したなら、「△△デパートに１ヶ月行っていません。秋物の新作が入荷している頃です。ショッピングに行ってはどうですか？」となり、図９のように表示部５に表示される。
【００３４】
このように本実施形態においては、特定の場所や施設に、一定の周期で何回か滞在しているような場合、その周期で次回訪れる時期が到来すると自動的にメッセージが表示される。
実家や行き着けの店など、比較的一定の周期で訪れる場合が多いが、何らかのきっかけで足が遠のいたりする場合がある。一度このような状態になると、そのまま忘れて訪問しなくなってしまう恐れがある。本実施形態では、このように状態に陥っている場合に、訪れるべきあるいは訪れなければならない時期が到来するとメッセージが表示されるため、再び訪問するきっかけを作ってくれる。
【００３５】
次に、本発明の他の実施形態について説明する。
本実施形態においては、一定の周期で何回か滞在しているような施設あるいは場所であれば、その施設又は場所に関連する特定の月日が到来した場合に、その旨をユーザに知らせるものである。
例えば、一定の周期で何回か訪れている場所が墓所の場合、命日、彼岸、お盆等の日に対応するメッセージを表示する。
【００３６】
図１〜図４までは、上述の実施形態と同一であるため、説明を省略する。
図１０は、本実施形態の履歴分析装置１０の処理動作を示すフローチャートである。まず、新しく記憶された履歴情報に含まれる施設名が特定の施設名であるか否か判別する（ステップＳ４０）。ここで特定の施設名は、例えば前述のような墓所、祖父母の家（敬老の日に関連）などが考えられる。これは、予め用意されているものでもよいし、ユーザが入力するものでもよい。
ここでもし、特定の施設名でないと判別された場合はこの処理を終了するが、特定の施設名であれば、ステップＳ４１に進む。
【００３７】
ステップＳ４１において、この施設名に関連する日付をカレンダ７より取得する。例えば墓所であれば、命日、彼岸、お盆等の日付であり、祖父母の家であれば敬老の日等である。
続いてこの施設名を含む履歴情報の中で最も新しいものの月日情報を最終月日情報とする（ステップＳ４２）。そしてこの施設名、最終月日、特定日付を分析情報として履歴分析装置１０に記憶する。
【００３８】
図１１は、本実施形態における履歴分析装置１０に記憶された分析情報の一例を示す。図に示すように、施設名、最後にその施設に滞在した月日及び特定日付が分析情報として記憶される。
【００３９】
図１２は、本実施形態における制御装置１の情報表示処理動作を表わすフローチャートである。
このフローチャートは、本実施形態でも、１日の決められた時刻に１回動作開始するように構成されている。
図においてまず、履歴分析装置１０に記憶されている分析情報のひとつを取り出す（ステップＳ５０）。続いてカレンダ７より現在月日を取得する（ステップＳ５１）。そしてこの現在月日と分析情報に含まれる特定日付とが一致しているか否か判別する（ステップＳ５２）。
【００４０】
ここで一致していないと判別された場合はステップＳ５３に進み、履歴分析装置１０に記憶された全ての分析情報について上述のような処理が終了したか判別し、処理が終了しているなら、この情報表示処理を終了させる。処理が終了していないなら、ステップＳ５４に進み、履歴分析装置１０から別の分析情報を取り出し、再びステップＳ５１の処理を実行する。
【００４１】
Ｓ５１にて一致していると判別された場合は、ステップＳ５５に進み、制御装置１に予め記憶されている、各施設名に対応するメッセージ文を取り出す。例えば施設名が「墓所」であれば、「もうすぐ〇〇です。お墓参りに行きませんか？前回のお墓参りは△△月□□日でした。」というメッセージ文を取り出す。
【００４２】
この後、メッセージ文の「〇〇」には、カレンダ７から現在月日に対応する情報を書き込み、「△△月□□日」には、最終月日を書き込むことによりメッセージ文を完成させ（ステップＳ５６）、表示部５にメッセージを表示させる（ステップＳ５７）。
図１３に、施設名が「墓所」、一致した特定日がお盆の日（例えば８月１５日）、さらに最終月日が「３月２０日」の場合のメッセージの表示態様を示す。
【００４３】
図１４は、施設名が「祖父母宅」、一致した特定日が敬老の日（９月１５日）、の場合のメッセージの表示態様を示す。
【００４４】
以上のように本実施形態によれば、特定の場所や施設に、一定の周期で何回か滞在しているような場合、その施設または場所に関連する特定の月日となると自動的にメッセージが表示される。
彼岸のお墓参り等、その季節の特定の月日になると必ずそれに関係する施設や場所を訪れなければならないものがあったが、近年このような行事に出席しようという気持ちが薄れがちである。本実施形態では、訪れるべきあるいは訪れなければならない時期が到来するとメッセージが表示されるため、再び訪問するきっかけを作ってくれる。
【００４５】
本実施形態においては、特定の月日にメッセージを表示するように構成しているが、その当日ではなく前日など事前にメッセージを表示させるようにしてもよい。
【図面の簡単な説明】
【００４６】
【図１】図１は本発明の一実施形態に係る情報表示装置のブロック図である。
【図２】図２は、図１の制御装置１の位置情報取得処理動作を示すフローチャートである。
【図３】図３は、図２の履歴保存処理の詳細なフローチャートである。
【図４】図４は、履歴情報記憶装置６に記憶された履歴情報の一例を示す。
【図５】図５は、図１の履歴分析装置１０の処理動作を示すフローチャートである。
【図６】図６は、履歴分析装置１０に記憶された分析情報の一例を示す。
【図７】図７は、制御装置１の情報表示処理動作を表わすフローチャートである。
【図８】図８は、メッセージ表示の一例を示す。
【図９】図９は、メッセージ表示の別な例を示す。
【図１０】図１０は、別の実施形態の履歴分析装置１０の処理動作を示すフローチャート。
【図１１】図１１は、別の実施形態における履歴分析装置１０に記憶された分析情報の一例を示す。
【図１２】図１２は、別の実施形態における制御装置１の情報表示処理動作を表わすフローチャートである。
【図１３】図１３は、メッセージ表示の一例を示す。
【図１４】図１４は、メッセージ表示の別な例を示す。
【符号の説明】
【００４７】
１  制御装置
２  ＧＰＳ衛星受信アンテナ
３  ＧＰＳ衛星受信装置
４  地図データベース
５  表示部
６  履歴情報記憶装置
７  カレンダ
８  停止時間計測装置
９  加速度センサ
１０  履歴分析装置
【図１】
2010026887.tif 000003
【図２】
2010026887.tif 000004
【図３】
2010026887.tif 000005
【図４】
2010026887.tif 000006
【図５】
2010026887.tif 000007
【図６】
2010026887.tif 000008
【図７】
2010026887.tif 000009
【図８】
2010026887.tif 000010
【図９】
2010026887.tif 000011
【図１０】
2010026887.tif 000012
【図１１】
2010026887.tif 000013
【図１２】
2010026887.tif 000014
【図１３】
2010026887.tif 000015
【図１４】
2010026887.tif 000016